【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
非導電性基板（２）と第１の導電性エリア（３）、第２の導電性エリア（４）及び第３の導電性エリア（５）とを備える、前面（６）及び背面（７）を有する容量性平面情報担体（１）であって、
ａ）前記導電性エリア（３、４、５）は、該情報担体（１）の少なくとも前記前面（６）に施され、
ｂ）所望の検出されるべき要素である１つ以上のタッチポイントに対応する前記第１の導電性エリア（３）の上に、第１の比誘電率ε１を有する第１の誘電体層（９）が配置され、
ｃ）必要であるが干渉する要素である１つ以上の導電トレースに対応する前記第３の導電性エリア（５）の上に、第２の比誘電率ε２を有する第２の誘電体層（１０）が配置され、
前記第１の誘電体層（９）および前記第２の誘電体層（１０）の誘電特性が異なることで、前記情報担体（１）が容量性読取デバイス（３４）によって読み取られた際の前記タッチポイントの検出精度を向上させることができる、情報担体。
【請求項２】
請求項１に記載の情報担体（１）であって、
前記第１の誘電体層（９）は、１０より大きい、又は２０より大きい、又は４０より大きい第１の比誘電率ε１を有する誘電体インクからなる、情報担体。
【請求項３】
請求項１又は２に記載の情報担体（１）であって、
前記第２の誘電体層（１０）は、４より小さい、又は３より小さい、又は２より小さい第２の比誘電率ε２を有する誘電体インクからなる、情報担体。
【請求項４】
請求項１〜３のいずれか１項に記載の情報担体（１）であって、
前記導電性エリア（３、４、５）は、直流的に及び／又は電気的に接触している、情報担体。
【請求項５】
請求項１〜４のいずれか１項に記載の情報担体（１）であって、
前記非導電性基板（２）は、紙、厚紙、プラスチック、木材系材料、複合材、ガラス、セラミック、テキスタイル、皮革、プラスチック製品及び／又はそれらの任意の組合せを含む群から選択された、平坦な可撓性の非導電性材料から作製されている、情報担体。
【請求項６】
請求項１〜５のいずれか１項に記載の情報担体（１）であって、
前記導電性エリア（３、４、５）及び誘電体層（９、１０）は、オフセット印刷、フレキソ印刷、グラビア印刷、スクリーン印刷及び／又はデジタル印刷を含む群から選択されたアディティブ印刷方法で製造されている、情報担体。
【請求項７】
請求項１〜５のいずれか１項に記載の情報担体（１）であって、
前記導電性エリア（３、４、５）は、化学蒸着法、物理蒸着法及び／又はスパッタリングプロセスによって製造されている、情報担体。
【請求項８】
請求項１〜７のいずれか１項に記載の情報担体（１）であって、
前記導電性エリア（３、４、５）の材料は、金属粒子、ナノ粒子、銀、金、銅及び／又はアルミニウム、導電性粒子、カーボンブラック、グラファイト、グラフェン、ＡＴＯ（アンチモン酸化スズ）、導電性ポリマー層、Ｐｅｄｏｔ、ＰＡＮＩ（ポリアリニン）、ポリアセチレン、ポリピロール、ポリチオフェン、ペンタセン又はそれらの任意の組合せを含む群から選択されている、情報担体。
【請求項９】
請求項１〜８のいずれか１項に記載の情報担体（１）の製造方法であって、
ａ）前記非導電性基板（２）を準備するステップと、
ｂ）前記非導電性基板（２）上に前記第１の導電性エリア（３）、前記第２の導電性エリア（４）及び前記第３の導電性エリア（５）を施すステップと、
ｃ）所望の検出されるべき要素である１つ以上のタッチポイントに対応する前記第１の導電性エリア（３）の上に第１の比誘電率ε１を有する誘電体インクを含む前記第１の誘電体層（９）を施すステップと、
ｄ）必要であるが干渉する要素である１つ以上の導電トレースに対応する前記第３の導電性エリア（５）の上に第２の比誘電率ε２を有する誘電体インクを含む前記第２の誘電体層（１０）を施すステップと、を含み、
前記第１の誘電体層（９）および前記第２の誘電体層（１０）の誘電特性が異なることで、前記情報担体（１）が前記容量性読取デバイス（３４）によって読み取られた際の前記タッチポイントの検出精度を向上させることができる、方法。
【請求項１０】
前記第１の誘電体層（９）は、乾燥状態で１０より大きい、又は２０より大きい、又は４０より大きい第１の比誘電率ε１を有する、請求項９に記載の方法。
【請求項１１】
前記第２の誘電体層（１０）は、乾燥状態で４より小さい、又は３より小さい、又は２より小さい第２の比誘電率ε２を有する、請求項９又は１０に記載の方法。
【請求項１２】
タッチスクリーン（１２）へ情報を伝達するための請求項１〜８のいずれか１項に記載の情報担体（１）の使用であって、
情報担体（１）の前面（６）が、タッチスクリーン（１２）と接触され、それによって、前記第１の導電性エリア（３）は、タッチスクリーン（１２）上に静電容量の局所的な変化を発生させる、使用。
【請求項１３】
物体（２４）の導電性面（２２）又は導電性物体（３２）から形成された情報担体（２０）であって、
１つ以上のサブエリアとしての前記物体（２４）の前記導電性面（２２）における第１の部分（２８）又は前記導電性物体（３２）の第１の部分（２８）が、第１の比誘電率ε１を有する誘電体層（９）によって覆われていると共に、容量性読取デバイス（３４）において第１の信号を生成し、
前記物体（２４）の前記導電性面（２２）における第２の部分（３０）又は前記導電性物体（３２）の第２の部分（３０）は覆われておらず、前記容量性読取デバイス（３４）において第２の信号を生成し、
前記第１の部分（２８）の前記サブエリアは、所望の検出されるべき要素である１つ以上のタッチポイントに一致し、
前記第２の部分（３０）は、必要であるが干渉する要素である結合エリアおよび導電トレースに一致し、
前記第１の部分（２８）および前記第２の部分（３０）は、前記容量性読取デバイス（３４）によって読み取られる前記物体（２４）の前記導電性面（２２）および前記導電性物体（３２）を形成する、情報担体。
【請求項１４】
物体（２４）の導電性面（２２）又は導電性物体（３２）から形成された情報担体（２０）であって、
１つ以上のサブエリアとしての前記物体（２４）の前記導電性面（２２）における第１の部分（２８）又は前記導電性物体（３２）の第１の部分（２８）が、第１の比誘電率ε１を有する誘電体層（９）によって覆われていると共に、容量性読取デバイス（３４）において第１の信号を生成し、
前記物体（２４）の前記導電性面（２２）における第２の部分（３０）又は前記導電性物体（３２）の第２の部分（３０）は、第２の比誘電率ε２を有する誘電体層（１０）及び／又は低誘電率スペーサー材料（２６）によって覆われていると共に、前記容量性読取デバイス（３４）において第２の信号を生成し、
前記第１の部分（２８）の前記サブエリアは、所望の検出されるべき要素である１つ以上のタッチポイントに一致し、
前記第２の部分（３０）は、必要であるが干渉する要素である結合エリアおよび導電トレースに一致し、
前記第１の部分（２８）および前記第２の部分（３０）は、前記容量性読取デバイス（３４）によって読み取られる前記物体（２４）の前記導電性面（２２）および前記導電性物体（３２）を形成する、情報担体。
【請求項１５】
容量性読取デバイス（３４）へ情報を移送するための請求項１３又は１４に記載の情報担体（２０）の使用であって、
前記情報担体（２０）は、前記容量性読取デバイス（３４）と接触され、それによって、前記物体（２４）の前記導電性面（２２）における前記第１の部分（２８）又は前記導電性物体（３２）の前記第１の部分（２８）により前記容量性読取デバイス（３４）に生成される前記第１の信号は、前記物体（２４）の前記導電性面（２２）における前記第２の部分（３０）又は前記導電性物体（３２）の前記第２の部分（３０）により前記容量性読取デバイス（３４）に生成される前記第２の信号とは異なる、使用。
【請求項１６】
請求項１３に記載の情報担体（２０）の製造方法であって、
ａ）前記物体（２４）の前記導電性面（２２）又は前記導電性物体（３２）を準備するステップと、
ｂ）前記物体（２４）の前記導電性面（２２）における前記第１の部分（２８）又は前記導電性物体（３２）の前記第１の部分（２８）の上に、第１の比誘電率ε１を有する前記誘電体層（９）を施すステップと、を含み、
前記物体（２４）の前記導電性面（２２）における前記第２の部分（３０）又は前記導電性物体（３２）の前記第２の部分（３０）は覆われず、
前記第１の部分（２８）は、所望の検出されるべき要素である１つ以上のタッチポイントに一致し、
前記第２の部分（３０）は、必要であるが干渉する要素である結合エリアおよび導電トレースに一致し、
前記第１の部分（２８）および前記第２の部分（３０）は、前記容量性読取デバイス（３４）によって読み取られる前記物体（２４）の前記導電性面（２２）および前記導電性物体（３２）を形成する、方法。
【請求項１７】
請求項１４に記載の情報担体（２０）の製造方法であって、
ａ）前記物体（２４）の前記導電性面（２２）又は前記導電性物体（３２）を準備するステップと、
ｂ）前記物体（２４）の前記導電性面（２２）における前記第１の部分（２８）又は前記導電性物体（３２）の前記第１の部分（２８）の上に、第１の比誘電率ε１を有する前記誘電体層（９）を施すステップと、
ｃ）前記物体（２４）の前記導電性面（２２）における前記第２の部分（３０）又は前記導電性物体（３２）の前記第２の部分（３０）の上に、第２の比誘電率ε２を有する前記誘電体層（１０）及び／又は前記低誘電率スペーサー材料（２６）を施すステップと、を含み、
前記第１の部分（２８）は、所望の検出されるべき要素である１つ以上のタッチポイントに一致し、
前記第２の部分（３０）は、必要であるが干渉する要素である結合エリアおよび導電トレースに一致し、
前記第１の部分（２８）および前記第２の部分（３０）は、前記容量性読取デバイス（３４）によって読み取られる前記物体（２４）の前記導電性面（２２）および前記導電性物体（３２）を形成する、方法。